(57)【特許請求の範囲】
【請求項１】
変形可能な容器であって、該容器の内底面と内側面とでなる隅部に一連に凹部を形成したことを特徴とする容器の構造。
【請求項２】
変形可能な容器であって、該容器の内底面と内側面とでなる隅部に一連に及び該内側面に水平方向に凹部を形成したことを特徴とする容器の構造。
【請求項３】
前記凹部の断面形状が略円弧状でなることを特徴とする請求項１又は２記載の容器の構造。
【請求項４】
前記凹部の断面形状が略多角形状でなることを特徴とする請求項１又は２記載の容器の構造。
【請求項５】
前記容器の底面に抜歯状下駄を間欠的かつ輪環状に形成したことを特徴とする請求項１又は２記載の容器の構造。
【発明の詳細な説明】
【０００１】
【発明の属する技術分野】
本発明は、例えばプリン等の飲食物を充填した各種変形可能な容器であって、その内壁面の一部に凹部等を備え、当該飲食物を取出し易くした容器の構造に関するものである。
【０００２】
【従来の技術】
この種、従来の技術におけるプリン等飲食物を充填した各種変形可能な容器は図８に示すのものであった。当該技術について説明すれば、１は容器本体であり、その内部にはプリン等の飲食物２が充填されている。その開口部３は略四角形で成形され、四つの垂直側面４を有している。また、底面（下面）５は一連の輪還状の下駄７を突出形成しており,当該容器本体１をテーブル等に載置したとき、該底面５が直接接しないようにしている。前記底面５の一部には、突片（ポッキン部）６を突設し一体形成しており、当該突片６の周囲部分は肉薄状の底面部５ａとなっている。
【０００３】
従来の技術はこのような構成であって、当該プリン等の飲食物２を容器本体１から取出す場合は、前記突片６を一点鎖線で示す如く切曲すると、当該突起６の矢印Ａ方向への折曲動作により底面５の肉薄状の部位５ａが亀裂して形成された貫通孔５ｂから外気を流入させ当該上記飲食物２の離型を行う。
【０００４】
また、従来の技術における他の例としては、前記容器本体１の底面５に突片６が全くない構造のものもあった。かかる構造の容器あっては、当該プリン等の飲食物２を容器本体１から取出す場合は、当該容器本体１を強力な外力を付与して大きく変形させて、該飲食物２の離型を行う。
【０００５】
また、容器本体１の底面５は、一連かつ輪環状の下駄７を備えており、上記したように、当該プリン等の飲食物２を容器本体１から取出す場合は、更に当該下駄７に強力な外力を付与して当該容器本体１を変形させて、該飲食物２の離型を行う。
【０００６】
【発明が解決しようとする課題】
従来の技術は、上述した構成であるので、次の課題が存在した。
容器本体１の底面５の一部に突片６を設けており、当該突片６が生産過程に於ける容器本体１の集積等の際や、飲食物２の充填ユーザー等への輸送時に該突片６の周囲に形成された該底面５の肉薄状の部位５ａ及び該突片６が亀裂や折損することがあり、その場合に、亀裂孔やピンボール等も発生した。
【０００７】
上記底面５の肉薄状の部位５ａの該突片６が亀裂又は折損され、また、ピンホールが発生すれば、当該容器本体１に充填したプリン等の飲食物２が亀裂や折損から生じる孔やピンホールから漏洩し、またプリン等の飲食物２を容器本体１に充填する工程において、すでに充填された上記飲食物２が、該容器本体から流出し生産工程ラインの工程機能を阻害することや、商品の品質上の問題も提起された。
【０００８】
更に、上記飲食物２を容器本体１に充填する工程の際に、上記突片６が折損することがあり、その突片６が他の容器本体内に混入するケースもあった。かかる場合、プリン等の飲食物２の中に異物が混在したまま商品として市場に出れば、一般消費者から苦情が発生し、いわゆるＰＬ訴訟まで発展する危惧もあった。
【０００９】
容器本体１から充填された飲食物２を取出す場合に、該容器本体１の底面５に設けた突片６を先ず折曲することが必要であるが、この突片６の折曲げ動作は、消費者が直接に指で行う場合や折曲工具等の道具で行う場合があり、前者の場合、指の力のない人例えば女性、老人や子供であるとき、該突片６の折曲げ動作が出来ないこと、又は、当該道具がないとき当該消費者が、プリン等の飲食に供することが出来ない問題があった。
【００１０】
容器本体１の底面５に突片６や外気吸入口も存在しない場合は、消費者は、容器本体１に充填された飲食物２の該容器本体１からの離型を行うことが困難で、商品価値として低下するものであった。
【００１１】
容器本体１の底面５は、一連の輪環状の下駄７を有してなり、上記容器本体１に充填された飲食物２を該容器本体１から離型するには、該容器本体１の底面の下駄７の部位も強力な外力を付与して変形させる必要があるが、上記構造の下駄７は、これを変形させることは困難で、当該飲食物２の容器本体１からの離型が難しかった。
【００１２】
本発明に係る容器の構造は、容器本体の底面に突片（ポッキン部）を形成することなく、当該容器本体の内壁面の一部に凹部を設け、また、当該容器本体底面の下駄を抜歯状の構造にすることにより、比較的指や腕の力の弱い消費者にもプリン等の飲食物を当該容器本体から容易に取出して、飲食に供することが出来るようにしたことを目的とする。
【００１３】
【課題を解決するための手段】
本発明に係る容器の構造は、上述した課題を解決するために次の構成、手段を採用した。
【００１４】
請求項１記載の発明によれば、変形可能な容器であって、該容器の内底面と内側面とでなる隅部に一連に凹部を形成したことを特徴とする容器の構造である。
【００１５】
請求項２記載の発明によれば、変形可能な容器であって、該容器の内底面と内側面とでなる隅部に一連に及び該内側面に水平方向に凹部を形成したことを特徴とする容器の構造である。
【００１６】
請求項３記載の発明によれば、前記凹部の断面形状が略円弧状でなることを特徴とする請求項１又は２記載の容器の構造である。
【００１７】
請求項４記載の発明によれば、前記凹部の断面形状が略多角形状でなることを特徴とする請求項１又は２記載の容器の構造である。
【００１８】
請求項５記載の発明によれば、前記容器の底面に抜歯状下駄を間欠的かつ輪環状に形成したことを特徴とする請求項１又は２記載の容器の構造である。
【００１９】
【発明の実施の形態】
以下、本発明に係る容器の構造に於ける実施の形態１について、添付図面に基づき説明する。
図１は開口部が、略四角形の本発明に係る容器の構造であって、この構造を示すものの平面図である。８は、容器本体であって、変形可能に一体成形されてなる。
該容器本体８は、ポレオレフィン等可塑性をもつ高分子材料を主原料とし、必要に応じて顔料等に副資材を配合して成形固化してなるプラスッチック材、ゴム弾性体やその他合成樹脂材で成形されてなる樹脂形成材や紙材等で構成され、その開口部９は略円形状や略四角、略三角等多角形状で構成され、図１に示すものは略四角形の開口部９を有している。
前記容器本体８内には一点鎖線で示すようなプリン、卵豆腐やゼリー等の充填物すなわち飲食物１０が充填される。１１は破線で示すシール材であり、当該飲食物１０を上記容器本体８内に充填完了した後に、該容器本体８の覆縁８ａ上に封止される。
【００２０】
前記容器本体８は垂直方向に４つの側面１２と１つの底面１３を有している。該４つの側面１２は図１に示すように、４つの内側面１２ａを備え、開口部９が略四角形であるので当該内側面１２aが相互隣接面部位１２ｂを形成している。そして、前記相互隣接面部位１２ｂは、垂直方向に４ヶ所一連の凹溝１４を形成している。図１に示す凹溝１４は断面が略円弧状に形成されてなる。
尚、上記凹溝１４はいわゆる凹部であればよく、本発明では、凹溝形状に限定されない
【００２１】
本発明に係る容器の構造において、実験によれば、当該凹溝１４の設計仕様は図２に示すように凹み奥行Ｌ１＝０. ２７（ｍｍ）、凹み半径Ｒ１＝０. ３（ｍｍ）、内側面１２ａの相互隣接面部位１２ｂの半径Ｒ２＝１. ８（ｍｍ）の各寸法が好適であることが判明した。
尚、上記説明した凹溝１４等の設計仕様は当該容器本体８の剛性及び変形量や側壁の厚さ等参酌し適宜設定するものである。
【００２２】
次に本発明に係る容器の構造の実施の形態２について、図３に基づき説明すれば、上記凹溝１４ａは底面１３の内底面１３ａの４辺部すなわち、上記４つの内側面１２ａの下端面と上記内底面１３ａとの接する相互隣接面部位１２ｃ（隅部）に形成される。
【００２３】
本発明に係る容器の構造の実施の形態２の他の例として、当該凹溝１４は上記実施の形態１に実施の形態２を追加した構成であってもよい。
すなわち、該凹溝１４は容器本体１の４つ垂直方向の相互隣接部位１２ｂに形成し、また、更に、凹溝１４ａは４つの内底面１３ａの相互隣接面部位１２ｃ（隅部）にそれぞれ一連に形成する構成である。
本発明に係る容器の構造において、実験によれば、当該凹溝１４及び１４ａの設計仕様は図３に示すように、凹み奥行Ｌ２＝０. ２６（ｍｍ）、凹み半径Ｒ３＝０.  ２（ｍｍ）、内側面１２ａの相互隣接面部位１２ｂ及び内底面１３ａの相互隣接面部位１２ｃ（隅部）の半径Ｒ２及びＲ４＝０.
４（ｍｍ）の各寸法が好適であることが判明した。
【００２４】
上記において、本発明に係る容器の構造の各種の実施の形態について説明したが、更に、容器本体８の側面１２に形成される凹溝１４、１４ａの各種の実施変形例について説明する。
上記凹溝１４、１４ａは、容器本体８の内部の相互隣接面部位１２ｂ、１２ｃに一連に形成することなくその一部に単一に、又、間欠的に複数個形成してもよい。
また、凹溝１４、１４ａは容器本体８の開口部９が略四角形状である場合、内底面１３ａが有する４つのコーナー点すなわちコーナーの４つの隅部に形成するのみでよい。
また、上記本発明の実施の形態において、上記凹溝１４、１４ａは断面が略円弧状の例を説明したが、本発明はこれに限定されるものではなく、該凹溝１４，１４ａは容器本体８の側壁の厚さ等により図４に示すような凹溝１４ｃのように略三角形状やその他の多角形状等であってもよい。
【００２５】
図４に於いて、当該容器本体８から卵豆腐等の飲食物１０を取出す場合を説明すれば消費者は当該容器本体８に指等で、例えば対角線方向に外力を加え、当該容器本体８を変形させる。
而して、図４に示すように、容器本体８の側面１２に矢印Ｂ方向の外力が付与されると共に凹溝１４ｃは矢印Ｃ方向にストレスがかかり図４の２点鎖線で示すように変形される。
そこで、充填物すなわち飲食物１０たる卵豆腐は矢印Ｄ方向に圧力を受けて移動し、該容器本体８から分離し離型される。
このようにして、当該卵豆腐は簡単に取出され消費者の飲食に供される。
【００２６】
次に、本発明に係る容器の構造の実施の形態３について、図５に基づき説明する。図５は、凹溝１４ｂが容器本体１の内側面１２ａの上端から下端の中間位置であって、４つの内側面１２ａを一点鎖線で示す水平方向にかつ一連に輪環状に形成されている。
他の構成については、前記発明の実施形態１と同一であるので、その説明を省略する。
また、実験によって当該凹溝１４ｂの寸法形状等も前記発明の実施の形態１と同じであることが判明した。
【００２７】
また、上記説明に於いて、凹溝１４ｂが容器本体８の中間位置に連続して輪環状に形成してあるが、当該容器本体８の材質や剛性等その他特質や条件等によって当該凹溝１４ｂは間欠的に又は単一個形成することが出来る。
【００２８】
次に、本発明に係る容器の構造の実施の形態４について、図６に基づき説明する。
図６において、凹溝１４が容器本体８の図１に示す４つの内側面１２ａ少なくともいずれか一つの内側面１２ａの左端から右端の中間位置であって、そして、当該内側面１２ａの上端から下端まで垂直方向に連続的に延在形成されている。
本発明に係る容器の構造の他の構成においては，前記発明の実施の形態１と同一であるので、その説明を省略する。また、実験によって，当該凹溝１４ｂの寸法形状等も、前記発明の実施の形態１と同一であることが判明した。
【００２９】
また、上記説明に於いて、凹溝１４が容器本体８の少なくともいずれかの内側面１２ａの上端から下端まで連続的に単一に延在形成したが複数個形成しても良く、そして間欠的に又は単一個のみ形成することが出来る。
当該容器本体８の材質や剛性その他特質や条件等によって当該凹溝１４ｂは間欠的に又は単一個を形成することが出来る。
【００３０】
上述した本発明に係る容器の構造は、該容器本体８の開口部９が略四角形の例であるが、本発明に係る容器本体８は、図７に示す略円柱体の構造であって、当該容器本体８の開口部９は略円形である。該容器本体８の内側面１２ａは単一の円環面に形成されている。凹溝１４ｄは該上述した実施の変形例と同様に、当該内側面１２ａの垂直方向又は水平方向に、又は該内側面１２ａの下端面と内底面１３ａの接する相互隣接面部位１２ｂに一連に延在形成されている。
【００３１】
また、本発明に係る容器の構造は、容器本体８の内側面１２ａに複数個形成しても良く、そして、間欠的に又は単一個のみ形成することが出来る。
当該容器本体８の材質や剛性その他特質や条件等によって、当該凹溝１４ａは間欠的に又は単一個を形成することが出来る。
【００３２】
次に、上述した本発明に係る本説明に係る容器本体８の実施の形態１についてその充填方法や動作等を説明する。
【００３３】
（１）充填物が卵豆腐の場合に於ける充填方法及び取出し動作
先ず、当該容器生産工程で図１に示すような容器本体１が製作される。充填物すなわち飲食物１０が卵豆腐であるときは、原料は卵黄，卵白及び水の１３：２７：４０の比率で混合した後、撹拌機（図示せず）で約２０分程度撹拌し、ガーゼで濾した混合液でなる。当該容器本体８内に当該混合液を充填する。そして、容器本体８の開口部９の縁部はシール材１１で被覆される。その後、約５０分程度を冷水で当該容器本体８を冷却する。更に、冷蔵庫で約２４時間程度保存する。
【００３４】
次に、上記容器本体８に充填された飲食物１０すなわち卵豆腐を取出す場合を説明すれば、シール材１１を該容器本体８の開口部９の覆縁８ａから剥離させる。そこで、貫通孔から外気が流入する。消費者は当該容器本体８に指等で、例えば対角線方向に外力を加え、当該容器本体８を変形させる。
【００３５】
而して、図２に示すように、容器本体８の側面１２に矢印Ｂ方向の外力が付与されると共に凹溝１４は矢印Ｃ方向にストレスがかかり図２の２点鎖線で示すように変形される。そこで、充填物すなわち飲食物１０である卵豆腐は矢印Ｄ方向に圧力を受けて移動し、該容器本体８から分離し離型される。このようにして、当該卵豆腐は簡単に取出され消費者の飲食に供される。
【００３６】
（２）充填物が卵豆腐の場合に於ける離水テスト
このように、上記容器本体８から充填物たる飲食物２すなわち卵豆腐を取出す場合のテストをいわゆる離水テストといわれており、それについて説明すれば、容器本体８の覆縁８ａからシール材１１を剥離し、卵豆腐が充填された容器本体８を裏返し、かつ対角方向に外力を加えて変形し、上記貫通孔５ｂから外気を注入する。
而して、発明の実施の形態のうち、上述した例えば、主要な実施の形態１及び３について離水テストを上記した場合次の結果であった。
【００３７】
（ａ）本発明の実施形態１の場合
当該本発明の実施の形態１は容器本体８の内側面１２ａの４つの相互隣接面部位１２ｂの垂直方向に、一連の４つの凹溝１４を形成した場合である。かかる場合、上記凹溝１４から空気が容器本体８に充填された卵豆腐の外表面に侵入し、凹溝がないときに比較して、容器本体８の少ない変形量で当該卵豆腐を落下出来ることが判明した。またこの際、当該容器本体から取出した卵豆腐は、型崩れが無いことが分かった。
【００３８】
（ｂ）本発明の実施の形態２の場合
当該本発明の実施の形態２は、当該凹溝１４が容器本体８の内側面１２ａの４つの相互隣接面部位１２ｂに垂直方向に一連に４つ形成し、更に凹溝１４ａを当該容器本体８の内底面１３ａの４辺部に一連に４つ形成した構成である。かかる場合、上記凹溝１４、１４ａから空気が容器本体８内に充填された卵豆腐の外表面に侵入し、上記（ａ）で述べた実施の形態１に比較し、更に、容器本体８の少ない変形量であっても、当該卵豆腐を当該容器本体８内から落下させることが判明した。この際、当該容器本体８から取出した当該卵豆腐は、型崩れがないことも分かった。
【００３９】
（３）充填物が卵豆腐、プリン及びゼリーの場合に於いて、スリップ剤を含有したとき又はしないときの離水テスト
次に、容器本体内に充填される飲食物であって、卵豆腐，プリン及びゼリーについて日本ポリケム製スリップ剤例えば、ノバテックＰＰ  ＭＧ３（商品名）の使用原料を当該各種飲食物１０に含有した場合における各々の離水テストを実施したとき、次の結果であった。
【００４０】
（ａ）卵豆腐の場合
当該卵豆腐内に上記スリップ剤を含有したとき又は含有しないときに拘らず、上記凹溝１４、１４ａを上記容器本体８の内側面１２ａや内底面１３ａに形成した場合、離水し易いことが分かった。
また、上記凹溝１４、１４ａを上容器本体内に形成していない場合、離水し難いことが分かった。
（ｂ）プリンの場合
上記卵豆腐に代えて、当該プリンの場合も上記卵豆腐と同様な結果を示現した。
（ｃ）ゼリ−の場合
上記卵豆腐に代えて、当該ゼリーの場合は，スリップ剤の有無又は凹溝１４、１４ａの有無に拘らず離水しないことが分かった。
【００４１】
次に、本発明に係る容器の構造の実施の形態５について図６に基づき説明する。
図６に於いて、１５は容器本体８の底面１３の四辺の下面１３ｂに形成した抜歯状下駄である。該抜歯状下駄１５は、上記下面１３ｂの中間部に空間状態の歯抜け部１５ａを形成し、図６に示す場合は、左右にそれぞれ単一の抜歯状下駄１５、１５を形成している。而して、該抜歯状下駄１５は、容器本体８の底面１３の下面１３ｂに間欠的かつ輪環状に形成されるものである。
【００４２】
本発明の実施の形態５の場合は、容器本体８の開口部９が略四角形であり、例えば、合計８個の抜歯状下駄１５で構成されているが、本発明に係る容器の構造は、これに限定されるものではなく、多数個の抜歯状下駄１５を形成してもよい。また、容器本体８が略円柱体や略多角形体の場合にも当該抜歯状下駄１５はその底面１３の下面１３ｂに、間欠的かつ輪環状に形成することが出来る。
【００４３】
上記本発明に係る容器の構造の実施の形態５において、当該容器本体８内に、充填した飲食物１０例えばプリンを当該容器本体から取出す動作等について説明する。
【００４４】
プリン等の飲食物１０を容器本体内に充填する場合は、前述した本発明の実施の態様１で説明したので省略する。
消費者は、当該プリン等の飲食物１０を、当該容器本体８から取出す場合は、当該容器本体８の底面１３を矢印Ｐ方向に指等で押圧すれば、上記抜歯状下駄１５、１５間に空間状の歯抜け部１５ａが存在するので、当該抜歯状下駄１５、１５が矢印Ｅ方向に動作し、当該底面１３を一点鎖線で示すように変形させる。これは、比較的弱い外力でも容器本体８を大きく変形させ上記凹溝１４、１４ａ、１４ｃ、１４ｄ、から空気の排出量を増大させることとなる。
而して、上記容器本体８の内側面１２ａや内底面１３ａに形成した凹溝１４、１４ａ、１４ｃ、１４ｄ、から空気が排出され,該空気が当該プリン等の飲食物１０でなる充填物の外表面に侵入する。
そこで、前述した離水テストで示すように、容器本体８の少ない変形量でも、プリンすなわち充填物を容易に取出すことが出来る。
【００４５】
上記の様に、容器本体８の底面１３に抜歯状下駄１５を形成したので、従来の技術に於ける下駄７の構造に比較し、当該容器本体８の変形量を大きくかつ変形をし易く出来、老人や子供等の消費者であっても弱い外力や指の力で、プリン等飲食物を取出すという所期の目的を容易に達成できるものである。
【００４６】
【発明の効果】
本発明に係る容器の構造は上述した構成、動作であるので、次の特有な効果を備えているものである。そして、当該本発明において、請求項１記載の発明によれば、変形可能な容器であって、該容器の内底面と内側面とでなる隅部に一連に凹部を形成したことを特徴とする容器の構造である。また、請求項２記載の発明によれば、変形可能な容器であって、該容器の内底面と内側面とでなる隅部に一連に及び該内側面に水平方向に凹部を形成したことを特徴とする容器の構造である。また、請求項３記載の発明によれば、前記凹部の断面形状が略円弧状でなることを特徴とする請求項１又は２記載の容器の構造である。また、請求項４記載の発明によれば、前記凹部の断面形状が略多角形状でなることを特徴とする請求項１又は２記載の容器の構造である。また、請求項５記載の発明によれば、前記容器の底面に抜歯状下駄を間欠的かつ輪環状に形成したことを特徴とする請求項１又は２記載の容器の構造である。
【００４７】
而して、容器本体の底面に突片（ポッキン部）を設けていないので、該容器本体の生産過程や輸送の際、当該突片の亀裂や折損に伴う亀裂孔やピンホールが発生しない効果がある。
亀裂孔やピンホールが発生しないので、すでに充填された飲食物が容器本体から流出することなく、充填工程や飲食物の生産工程ラインが、円滑に動作する効果がある。突片が容器本体の底面に形成していないので、当該突片が折損することなく、充填工程中の他の容器本体内に混入することがなく、飲食物内への異物混在を防止する効果がある。消費者が上記突片を折曲する必要がなく、指や腕の力の弱い人や女性、子供であっても容易に当該飲食物への飲食に供する効果がある。容器本体の底面に外気吸入口を設けることなく、該容器の内底面と内側面とでなる隅部に一連に形成した凹部及び該容器の内側面に水平方向に形成した凹部から空気が押し出されるので、当該飲食物を容器本体から、容易に取出すことができる効果がある。各種の容器本体の設計仕様に適用出来る効果がある。容器本体の開口部を略円形、略多角形等各種の形状のものに適用できる。容器本体の内壁面に設けた凹部の断面形状が略円弧状や略多角形状等各種形状を容易に選択出来る効果がある。容器の底面に抜歯状下駄を間欠的かつ輪環状に形成したので、該底面を押圧する際に小さな押圧力で該底面を大きく変形させることができ、飲食物を容器から容易に取出すことができる効果がある。
【図面の簡単な説明】
【図１】本発明に係る容器の構造を示す平面図である。
【図２】本発明に係る容器の構造に係り凹溝を示す図１の矢印Ｆ−Ｆ方向の断面拡大図である。
【図３】本発明に係る容器の構造に於いて、凹溝を当該容器内底面の４辺部に形成したときの要部断面図である。
【図４】本発明に係る容器の構造に於いて、凹溝の断面が略三角形であるときの断面拡大図である。
【図５】本発明に係る容器の構造に於いて、凹溝が容器本体の中間位置であって、水平方向にかつ一連に輪環状に形成したときの要部断面図である。
【図６】本発明に係る容器の構造に於いて、容器本体の底面の下面に抜歯状下駄を形成したときの断面図である。
【図７】本発明に係る容器の構造に於いて、容器本体の開口部が略円形であるときの要部を断面した斜視図である。
【図８】従来の技術における容器本体の一例を示す斜視図である。
【符号の説明】
８                容器本体
８ａ              覆縁
９                開口部
１０              飲食物（充填物）
１１              シール材
１２              容器の側面
１２ａ            容器の内側面
１２ｂ            容器の内側面の相互隣接面部位
１３              容器の底面
１３ａ            容器の内底面
１４              凹溝
１４ａ            凹溝
１４ｂ            凹溝
１４ｃ            凹溝
１４ｄ            凹溝
１５              抜歯状下駄
１５ａ            歯抜け部
【図１】
0004404284.tif 000002
【図２】
0004404284.tif 000003
【図３】
0004404284.tif 000004
【図４】
0004404284.tif 000005
【図５】
0004404284.tif 000006
【図６】
0004404284.tif 000007
【図７】
0004404284.tif 000008
【図８】
0004404284.tif 000009